(57)【特許請求の範囲】
【請求項１】
金属ベース板（10）の表面にアンテナ素子（12）を搭載すると共に、そのアンテナ素子の給電ピン（22）を前記金属ベース板（10）の裏面に突出させ、前記金属ベース板（10）の裏面にケーブル固定部（26）を設けて、そこに同軸ケーブル（14）の端部を固定し、前記金属ベース板（10）の裏面側で前記アンテナ素子（12）の給電ピン（22）と同軸ケーブル（14）の中心導体（36）とを直接接続するようにしたアンテナユニットにおいて、
前記ケーブル固定部（26）は、金属ベース板（10）の周辺の一部からのびる金属板を金属ベース板の裏面側にコ字形に折り曲げて、金属ベース板（10）の周辺の一部から同軸ケーブルの外径分だけ立ち上がる立ち上がり壁部（38）と、その立ち上がり壁部の先端から金属ベース板（10）と平行方向にのびる天井部（40）と、その天井部の先端から金属ベース板（10）に向けて同軸ケーブルの外径分だけ立ち下がる立ち下がり壁部（42）とを形成すると共に、前記立ち上がり壁部（38）及び立ち下がり壁部（42）に同軸ケーブル挿通用の切欠き部（44）を形成したものからなり、
前記切欠き部（44）に同軸ケーブル（14）を挿通し、前記切欠き部（44）の両側の縁で同軸ケーブル（14）の横方向の移動を規制すると共に、前記天井部（40）で同軸ケーブル（14）の金属ベース板（10）に垂直な方向の移動を規制することにより、同軸ケーブル（14）を金属ベース板（10）の裏面に固定したことを特徴とするアンテナユニット。
【請求項２】
立ち下がり壁部（42）の先端に金属ベース板（10）の裏面に沿ってのびる突片（46）を形成し、この突片（46）を金属ベース板（10）に半田付け又は接着により固定したことを特徴とする請求項１記載のアンテナユニット。
【請求項３】
金属ベース板（10）は円形であり、立ち上がり壁部（38）は平板状で幅方向の中間部が前記金属ベース板（10）とつながり、幅方向の両端部が金属ベース板（10）の周辺から分離されており、この立ち上がり壁部（38）の両端部が、アンテナ素子と金属ベース板を覆うレドーム（48）に形成された溝（60）に差し込み固定されていることを特徴とする請求項１記載のアンテナユニット。
【発明の詳細な説明】
【０００１】
【発明の属する技術分野】
本発明は、チップ型のアンテナ素子に同軸ケーブルを接続したアンテナユニットに関するものである。
【０００２】
【先の検討技術】
本発明者はＥＴＣ等に使用される車載用のアンテナユニットとして図４のようなものを先に設計した。図において、10は円形の金属ベース板、12は金属ベース板10の表面に搭載されたアンテナ素子、14は金属ベース板10の裏面側に固定される同軸ケーブルである。金属ベース板10の表面側には樹脂製のレドームが被せられるが図示を省略してある。
【０００３】
アンテナ素子12は、誘電体基板16と、その表面に設けられた放射導体18と、裏面に設けられたグランド導体20と、給電ピン22とから構成されている。給電ピン22は一端が放射導体パターン18に電気的に接続され、誘電体基板16及びグランド導体20を貫通して、他端側がグランド導体20側の面から突出している。アンテナ素子12は、給電ピン22が金属ベース板10の穴24を通って金属ベース板10の裏面に突出するように、金属ベース板10に搭載されている。
【０００４】
金属ベース板10の裏面には、同軸ケーブル14の端部を固定するケーブル固定部26が形成されている。このケーブル固定部26は、金属ベース板10の周辺の一部からのびる金属板を金属ベース板10の裏面に折り返し、その金属板の両側を切り起こして、第一のかしめ片28と第二のかしめ片30を形成したものである。このケーブル固定部26に同軸ケーブル14の端部を固定するときは、段剥ぎされた同軸ケーブル14の端部を図示のようにセットし、第一のかしめ片28で同軸ケーブル14のシース32の部分を両側からかしめ、第二のかしめ片30で同軸ケーブル14の外部導体34の部分を両側からかしめる。このようにして金属ベース板10の裏面側に同軸ケーブル14を固定した上で、同軸ケーブル14の中心導体36と、アンテナ素子12の給電ピン22とを直接半田付けにより接続する。
【０００５】
【発明が解決しようとする課題】
前記のアンテナユニットは、金属ベース板10の裏面に折り返された金属板の上に同軸ケーブル14を載せるようになっていることと、かしめ片28、30で同軸ケーブル14をかしめた時に同軸ケーブル14の断面が金属ベース板10と垂直な方向（以下、上下方向ということがある）に長い楕円形に変形することから、金属ベース板10と垂直な方向の寸法が大きくなり、アンテナユニットの薄型化に制約があった。また同軸ケーブルが楕円形に変形することと、同軸ケーブルの両側のかしめ片を均等にかしめるのが難しく同軸ケーブルの左右方向の位置が安定しないことから、電気特性にバラツキが発生しやすい。
【０００６】
本発明の目的は、アンテナユニットをより薄型化でき、電気特性を安定させることが可能なアンテナユニットを提供することにある。
【０００７】
【課題を解決するための手段】
この目的を達成するため本発明は、金属ベース板の表面にアンテナ素子を搭載すると共に、そのアンテナ素子の給電ピンを前記金属ベース板の裏面に突出させ、前記金属ベース板の裏面にケーブル固定部を設けて、そこに同軸ケーブルの端部を固定し、前記金属ベース板の裏面側で前記アンテナ素子の給電ピンと同軸ケーブルの中心導体とを直接接続するようにしたアンテナユニットにおいて、前記ケーブル固定部は、金属ベース板の周辺の一部からのびる金属板を金属ベース板の裏面側にコ字形に折り曲げて、金属ベース板の周辺の一部から同軸ケーブルの外径分だけ立ち上がる立ち上がり壁部と、その立ち上がり壁部の先端から金属ベース板と平行方向にのびる天井部と、その天井部の先端から金属ベース板に向けて同軸ケーブルの外径分だけ立ち下がる立ち下がり壁部とを形成すると共に、前記立ち上がり壁部及び立ち下がり壁部に同軸ケーブル挿通用の切欠き部を形成したものからなり、前記切欠き部に同軸ケーブルを挿通し、前記切欠き部の両側の縁で同軸ケーブルの横方向の移動を規制すると共に、前記天井部で同軸ケーブルの金属ベース板に垂直な方向の移動を規制することにより、同軸ケーブルを金属ベース板の裏面に固定したことを特徴とするものである。
【０００８】
このようにすれば、同軸ケーブルがケーブル固定部の天井部と金属ベース板とに挟まれて上下方向の位置を規制され、上下方向に長い楕円形に変形するおそれは少ないので、金属ベース板と垂直な方向の寸法を小さくでき、アンテナユニットの薄型化を図ることができる。また同軸ケーブルの変形量のバラツキを小さくおさえられ、位置も安定するから、電気特性のバラツキを少なくできる。
【０００９】
本発明のアンテナユニットは、前記立ち下がり壁部の先端に金属ベース板の裏面に沿ってのびる突片を形成し、この突片を金属ベース板に半田付け又は接着により固定した構成とすることが好ましい。
【００１０】
このようにすれば、立ち下がり壁部の先端側を金属ベース板に固定することが容易になり、同軸ケーブルの固定をより確実に行うことができる。
【００１１】
また本発明のアンテナユニットは、前記金属ベース板が円形であり、立ち上がり壁部は平板状で幅方向の中間部が前記金属ベース板とつながり、幅方向の両端部が金属ベース板の周辺から分離されており、この立ち上がり壁部の両端部が、アンテナ素子と金属ベース板を覆うレドームに形成された溝に差し込み固定されていることが好ましい。
【００１２】
このような構成にすれば、金属ベース板をレドームにしっかりと固定でき、金属ベース板の位置精度が向上する。
【００１３】
【発明の実施の形態】
以下、本発明の実施の形態を、図面を参照して詳細に説明する。
【００１４】
〔実施形態１〕  図１は本発明の一実施形態を示す。図において、先に説明した図４のアンテナユニットと同一部分には同一符号を付してある。すなわち、10は円形の金属ベース板、12はアンテナ素子、14は同軸ケーブル、16はアンテナ素子12の誘電体基板、18は放射導体、20はグランド導体、22は給電ピンである。アンテナ素子12は、給電ピン22が金属ベース板10の穴24を通って金属ベース板10の裏面に突出するように、金属ベース板10に搭載されている。
【００１５】
このアンテナユニットの特徴は、金属ベース板10の裏面側に、金属ベース板10の周辺の一部からのびる金属板をコ字形に折り曲げることにより形成されたケーブル固定部26が設けられていることである。すなわちこのケーブル固定部26は、金属ベース板10の周辺の一部から同軸ケーブル14の外径分だけ立ち上がる立ち上がり壁部38と、その立ち上がり壁部38の先端から金属ベース板10と平行方向にのびる天井部40と、その天井部40の先端から金属ベース板10に向けて同軸ケーブル14の外径分だけ立ち下がる立ち下がり壁部42とを有している。また立ち上がり壁部38及び立ち下がり壁部42の横方向中間部には同軸ケーブル挿通用の切欠き部44が形成されている。さらに立ち下がり壁部42の先端には金属ベース板10の裏面に沿って同軸ケーブル方向にのびる一対の突片46が形成されている。
【００１６】
このケーブル固定部36で同軸ケーブル14を固定するときは、同軸ケーブル14の端部を前記切欠き部44に挿通し、天井部40で同軸ケーブル14のシース32の部分を金属ベース板10に押し付ける共に、切欠き部44の両側の縁で同軸ケーブル14の横方向の移動を阻止した状態で、前記突片46を半田付け又は接着剤により金属ベース板10に固定する。さらに同軸ケーブル14の外部導体34を金属ベース板10に半田付けし、中心導体36をアンテナ素子12の給電ピン22に半田付けする。
【００１７】
このような固定構造にすると、同軸ケーブル14が金属ベース板10の裏面に直接押し付けられ、上下方向に長い楕円形に変形するおそれも少なく、金属ベース板10と垂直な方向の寸法を小さくでき、アンテナユニットをより薄型化できる。また同軸ケーブル14が横方向に変形したとしても個々の製品間でのバラツキは低減でき、しかも位置が安定するから、電気特性のバラツキも少なくできる。
【００１８】
〔実施形態２〕  図２は本発明の他の実施形態を示す。この実施形態は、図１のアンテナユニットに樹脂製のレドーム48を被せたものである。レドーム48の内側には、アンテナ素子12が収納される一番奥の凹部50と、金属ベース板10が嵌め込まれる円形の凹部52と、レドーム48の底板56が嵌め込まれる浅い四角形の凹部54とが三段に形成されている。また同軸ケーブル14が入る部分には切欠き部58が形成されており、この切欠き部58の両側の、四角形凹部54の底に相当する部分（円形凹部52の縁の平らな部分）には、立ち上がり壁部38の両端部が差し込まれる溝60が形成されている。
【００１９】
図１（Ｅ）に示すように、金属ベース板10は円形であり、その周辺の一部から立ち上がる立ち上がり壁部38は平板状であるから、立ち上がり壁部38は幅方向の中間部で金属ベース板10とつながっているが、幅方向の両端部は金属ベース板10の周辺から分離されている。この立ち上がり壁部38の両端部を、金属ベース板10をレドーム48の円形凹部52に嵌め込むときに、レドーム48に形成された前記溝60に差し込むのである。このようにすれば、金属ベース板10をレドーム40にしっかりと固定でき、金属ベース板10の位置固定精度を向上させることができる。
【００２０】
〔実施形態３〕  図３は本発明のさらに他の実施形態を示す。図３は同軸ケーブルを取り付ける前の状態であるが、このアンテナユニットが図１のアンテナユニットと異なる点は、1)ケーブル固定部26の天井部40に一対の押さえ片62を形成して、同軸ケーブルを切欠き部44に挿通した後に、この押さえ片62で同軸ケーブルの両側を押さえるようにしたことと、2)立ち下がり壁部42の先端からのびる一対の突片46の内側に折立片64を形成して、この折立片64を同軸ケーブルの外部導体に接触させるようにしたことである。上記のような押さえ片62及び折立片64を形成すると、同軸ケーブルの位置決め精度、固定強度が向上し、電気特性のバラツキをより少なくできると共に、同軸ケーブルの耐引張強度を向上させることができる。上記以外に構成は実施形態１と同様であるので、同一部分には同一符号を付して説明を省略する。
【００２１】
【発明の効果】
以上説明したように本発明によれば、同軸ケーブルが金属ベース板の裏面に直接押し付けられ、かつ同軸ケーブルが上下方向に長い楕円形に変形するおそれも少なく、横方向変形量バラツキを減らしながら、金属ベース板と垂直な方向の寸法を小さくでき、アンテナユニットをより薄型化することができる。また同軸ケーブルの変形量のバラツキが少なく、位置も安定するので、電気特性のバラツキを少なくできる。
【図面の簡単な説明】
【図１】  本発明に係るアンテナユニットの一実施形態を示す、（Ａ）は正面図、（Ｂ）は側面図、（Ｃ）は背面図、（Ｄ）は平面図、（Ｅ）は正面側斜視図、（Ｆ）が背面側斜視図。
【図２】  本発明に係るアンテナユニットの他の実施形態を示す、（Ａ）は正面図、（Ｂ）は背面図、（Ｃ）は（Ｂ）のＣ−Ｃ線断面図、（Ｄ）は平面図、（Ｅ）は正面側斜視図、（Ｆ）が背面側斜視図。
【図３】  本発明に係るアンテナユニットのさらに他の実施形態を示す、（Ａ）は正面図、（Ｂ）は側面図、（Ｃ）は背面図、（Ｄ）は平面図、（Ｅ）は正面側斜視図、（Ｆ）が背面上側斜視図、（Ｇ）は背面下側斜視図。
【図４】  従来のアンテナユニットを示す、（Ａ）は正面図、（Ｂ）は側面図、（Ｃ）は背面図、（Ｄ）は平面図、（Ｅ）は正面側斜視図、（Ｆ）が背面側斜視図。
【符号の説明】
10：金属ベース板
12：アンテナ素子
14：同軸ケーブル
16：誘電体基板
18：放射導体
20：グランド導体
22：給電ピン
26：ケーブル固定部
36：中心導体
38：立ち上がり壁部
40：天井部
42：立ち下がり壁部
44：切欠き部
46：突片
48：レドーム
60：溝
【図１】
0004629928.tif 000002
【図２】
0004629928.tif 000003
【図３】
0004629928.tif 000004
【図４】
0004629928.tif 000005